(57)【要約】      （修正有）【課題】歯科矯正用器具、及び研削ガイドプレートを提供する。【解決手段】歯科矯正用器具は、研削ガイドプレート１、及び人工歯を含む。研削ガイドプレートは、歯２００に設置するために用いられると共に、第１の位置決定部１１、及び第１の位置決定部に接続された第１の遮蔽部１２を含む。第１の位置決定部は、歯を収容するための第１の収容空間を有する。第１の遮蔽部及び第１の位置決定部は、共同で複数の第１の作業孔Ｈ１を形成する。第１の位置決定部における第１の収容空間が歯を収容した時、部分の歯は、複数の第１の作業孔によって研削ガイドプレート外に歯研削装置が研削する研削部分Ｇ１として定義されるように露出する。人工歯は、研削部分が研削済の歯に設置するために用いられ、それによって、歯科矯正を行う時間を短縮することができる。【選択図】図２
0003233677.tif 000002
【実用新案登録請求の範囲】
【請求項１】
歯を矯正するための歯科矯正用器具であって、
前記歯科矯正用器具は、
前記歯に設置するための研削ガイドプレートと、
研削部分が研削済の前記歯に設置するための人工歯と、
を含み、
前記研削ガイドプレートは、
少なくとも前記歯を収容するための第１の収容空間を有する第１の位置決定部と、
前記第１の位置決定部に接続された第１の遮蔽部と、
を含み、
前記第１の遮蔽部と前記第１の位置決定部とは共働して複数の第１の作業孔を形成し、前記第１の位置決定部における前記第１の収容空間が前記歯を収容した時、前記歯の一部は、複数の前記第１の作業孔によって前記研削ガイドプレート外に歯研削装置が研削する研削部分として定義されるように露出する、ことを特徴とする歯科矯正用器具。
【請求項２】
前記第１の遮蔽部は、複数の單辺接続ブロック及び複数の多辺接続ブロックを含み、それぞれの前記單辺接続ブロックは、接続セグメントを有し、前記單辺接続ブロックにおける前記接続セグメントは、別の前記單辺接続ブロック、任意一つの前記多辺接続ブロック、又は前記第１の位置決定部に接続することができ、それぞれの前記多辺接続ブロックは、少なくとも二つの接続セグメントを有し、前記多辺接続ブロックにおける少なくとも二つの前記接続セグメントは、別の前記多辺接続ブロック、任意一つの前記單辺接続ブロック、又は前記第１の位置決定部にそれぞれ接続することができる、請求項１に記載の歯科矯正用器具。
【請求項３】
前記第１の遮蔽部の面積は、複数の前記第１の作業孔の総面積よりも小さい、請求項１に記載の歯科矯正用器具。
【請求項４】
前記歯科矯正用器具は、補助研削ガイドプレートをさらに含み、前記補助研削ガイドプレートは、
少なくとも前記歯を収容するための第２の収容空間を有する第２の位置決定部と、
前記第２の位置決定部に接続された第２の遮蔽部と、を含み、
前記第２の遮蔽部及び前記第２の位置決定部は、共同で複数の第２の作業孔を形成し、前記第２の位置決定部における前記第２の収容空間が前記歯を収容した時、部分の前記歯の頬側面は、複数の前記第２の作業孔によって前記補助研削ガイドプレート外に前記歯研削装置が研削する別の研削部分として定義されるように露出する、請求項１に記載の歯科矯正用器具。
【請求項５】
歯に設置するための研削ガイドプレートであって、前記研削ガイドプレートは、
少なくとも前記歯を収容するための第１の収容空間を有する第１の位置決定部と、
前記第１の位置決定部に接続された第１の遮蔽部と、を含み、
前記第１の遮蔽部と前記第１の位置決定部とは共働して複数の第１の作業孔を形成し、前記第１の位置決定部における前記第１の収容空間が前記歯を収容した時、前記歯の一部は、複数の前記第１の作業孔によって前記研削ガイドプレート外に歯研削装置が研削する研削部分として定義されるように露出する、ことを特徴とする研削ガイドプレート。
【請求項６】
前記第１の遮蔽部は、複数の單辺接続ブロック及び複数の多辺接続ブロックを含み、それぞれの前記單辺接続ブロックは、接続セグメントを有し、前記單辺接続ブロックにおける前記接続セグメントは、別の前記單辺接続ブロック、任意一つの前記多辺接続ブロック、又は前記第１の位置決定部に接続することができ、それぞれの前記多辺接続ブロックは、少なくとも二つの接続セグメントを有し、前記多辺接続ブロックにおける少なくとも二つの前記接続セグメントは、別の前記多辺接続ブロック、任意一つの前記單辺接続ブロック、又は前記第１の位置決定部にそれぞれ接続することができる、請求項５に記載の研削ガイドプレート。
【請求項７】
前記第１の遮蔽部の面積は、複数の前記第１の作業孔の総面積よりも小さい、請求項５に記載の研削ガイドプレート。
【考案の詳細な説明】
【技術分野】
【０００１】
本考案は、矯正用器具に係り、特に、歯科矯正用器具及び研削ガイドプレートに関する。
【背景技術】
【０００２】
現代人は、多少とも無意識に上顎の歯と下顎の歯とを互いに擦り合わせ、いわゆる歯ぎしりをしている。歯ぎしりの原因は、ストレスの解放、又は咀嚼筋の異常な干渉等が考えられるが、過度の歯ぎしりは、象牙質の露出を招き、歯の正常機能を阻害する場合もあるため、過度な歯ぎしりをしている人、いわゆる矯正患者には矯正の必要性が存在している。
【０００３】
従来の歯科矯正には、歯科技工士によって初歩的な人工歯を作製し、歯科医師が初歩的な人工歯を装着するために矯正患者の歯を研削し、次いで矯正患者がその装着感を歯科医師にフィードバックし、歯科医師が矯正患者のフィードバック及び自身の経験によって、前記基礎的な人工歯を研削（又は研磨）し、矯正患者の歯本来の形状を成す最終的な人工歯を形成していく。
【０００４】
しかし、従来の歯科矯正方式は、矯正患者の複数回のフィードバック、及び歯科医師自身の経験によって研削などの動作を行うことが必要なため、従来の歯科矯正方式がかかる矯正時間は少なくとも６ヶ月以上必要であり、即ち、従来の歯科矯正方式は、時間がかかると共に一回で完成できないなどの欠点がある。
【０００５】
そのため、本考案者は、上述した問題が改善可能であることに鑑みて、鋭意研究を行い学理を併せて運用した結果、設計が合理的で且つ上述した問題を効果的に改善することができる方法として本考案を提出するに至った。
【考案の概要】
【考案が解決しようとする課題】
【０００６】
本考案が解決しようとする技術的問題は、従来技術の不足に対し、従来の歯科矯正に起こり得る欠陥を効果的に改善できる、歯科矯正用器具、及び研削ガイドプレートを提供することである。
【課題を解決するための手段】
【０００７】
上記の技術的問題を解決するために、本考案が採用する技術的手段は、歯を矯正するための歯科矯正用器具を提供することであり、前記歯科矯正用器具は、前記歯に設置するための研削ガイドプレートと、研削部分が研削済の前記歯に設置するための人工歯と、を含み、前記研削ガイドプレートは、少なくとも前記歯を収容するための第１の収容空間を有する第１の位置決定部と、前記第１の位置決定部に接続された第１の遮蔽部と、を含み、前記第１の遮蔽部と前記第１の位置決定部とは共働して複数の第１の作業孔を形成し、なかでも、前記第１の位置決定部における前記第１の収容空間が前記歯を収容した時、前記歯の一部は、複数の前記第１の作業孔から前記研削ガイドプレート外に、歯研削装置が研削する研削部分として定義されるように露出する。
【０００８】
上記の技術的問題を解決するために、本考案が採用する別の技術的手段は、次のような歯に設置するための研削ガイドプレートを提供することである。前記研削ガイドプレートは、少なくとも前記歯を収容するための第１の収容空間を有する第１の位置決定部と、前記第１の位置決定部に接続された第１の遮蔽部と、を含み、前記第１の遮蔽部と前記第１の位置決定部とは共働して複数の第１の作業孔を形成し、なかでも、前記第１の位置決定部における前記第１の収容空間が前記歯牙を収容した時、前記歯の一部は、複数の前記第１の作業孔から前記研削ガイドプレート外に、歯研削装置が研削する研削部分として定義されるように露出する。
【考案の効果】
【０００９】
本考案による有利な効果として、本考案が提供する歯科矯正用器具、及び研削ガイドプレートによれば、「前記第１の位置決定部と前記第１の遮蔽部とが共働して形成した複数の前記第１の作業孔」及び「前記人工歯は、前記研削部分が研削済の前記歯に設置される」といった技術的手段によって、歯科医師は、前記歯における調整する必要のある部位を一気に研削した後、直接に、模擬計算で得られた前記人工歯を前記歯に設置することによって、前記歯の矯正を素早くすることを果たすことができる。
【図面の簡単な説明】
【００１０】
【図１】本考案の第１の実施形態に係る研削ガイドプレートが下顎に設置される際の立体模式図である。
【図２】本考案の第１の実施形態に係る研削部分が研削ガイドプレートの外側に露出した際の立体模式図である。
【図３】本考案の第１の実施形態に係る人工歯が咬合面に設置される際の立体模式図である。
【図４】本考案の第１の実施形態に係る人工歯が咬合面に設置された際の立体模式図である。
【図５】本考案の第１の実施形態に係る別の研削ガイドプレートを示す立体模式図である。
【図６】本考案の第２の実施形態に係る補助研削ガイドプレートが下顎に設置される際の立体模式図である。
【図７】本考案の第２の実施形態に係る別の研削部分が補助研削ガイドプレートの外側に露出した際の立体模式図である。
【図８】本考案の第２の実施形態に係る人工歯が咬合面及び頬側面に設置される際の立体模式図である。
【図９】本考案の第２の実施形態に係る人工歯が咬合面及び頬側面に設置された際の立体模式図である。
【図１０】本考案の第３の実施形態に係る装着方法を示すステップ流れ模式図である。
【図１１】本考案の第３の実施形態に係る準備ステップを示すサブステップ流れ模式図である。
【考案を実施するための形態】
【００１１】
本考案の特徴及び技術内容がより一層分かるように、以下の本考案に関する詳細な説明と添付図面を参照されたい。しかし、提供される添付図面は参考と説明のために提供するものに過ぎず、本考案の請求の範囲を制限するためのものではない。
【００１２】
以下、所定の具体的な実施態様によって本考案が開示する「歯科矯正用器具、及び研削ガイドプレート」に係る実施形態を説明し、当業者は、本明細書に開示された内容に基づいて本考案の利点と効果を理解することができる。本考案は、他の異なる具体的な実施態様によって実行又は応用でき、本明細書における各細部についても、異なる観点と用途に基づいて、本考案の構想から逸脱しない限り、各種の修正と変更を行うことができる。また、本考案の添付図面は、簡単な模式的な説明であり、実際の寸法で描かれたものではないと事前に説明しておきたい。また、以下の説明において、「所定の図面を参照されたい」又は「所定の図面に示すように」のような指示は、後述の説明に言及された関連内容の大部分が前記特定の図面に現れるという意味を強調するためのものに過ぎず、前記後述の説明において前記所定の図面しか参照できないというように限定するものではない。以下の実施形態に基づいて本考案に係る技術内容を更に詳細に説明するが、開示される内容は本考案の保護範囲を制限するためのものではない。また、本明細書において使用される「又は」という用語は、実際の状況に応じて、関連して挙げられる項目におけるいずれか１つ又は複数の組み合わせを含む可能性がある。
［第１の実施形態］
【００１３】
図１〜図５を参照されたい。図面に示すように、本考案の第１の実施形態は、歯科矯正用器具を提供し、前記歯科矯正用器具は、口腔内の歯、特に酷い歯ぎしりをした後の歯を矯正するのに適用される。具体的には、前記歯科矯正用器具は、研削ガイドプレート１、及び人工歯２を含み、前記研削ガイドプレート１は、前記歯２００に設置することによって、前記歯２００を研削して調整するように歯科医師をガイドするために用いられ、前記人工歯２は、研削済の後の前記歯２００に設置することによって、研削済の前記歯２００を、前記歯が（過度な歯ぎしりによって）摩耗する前の本来の形状に矯正するために用いられる。
【００１４】
説明しておきたいのは、前記研削ガイドプレート１及び人工歯２は、本実施形態において、合わせて前記歯科矯正用器具に定義されるが。しかし、本考案はこれに制限されない。例えば、本考案に図示されていない他の実施形態において、前記研削ガイドプレート１は、単独で用いられる（例えば、販売）、又は他の部品と組み合わせて用いられても構わない。
【００１５】
次いで、以下、前記歯科矯正用器具における各素子及びそれら素子間の接続関係を紹介するが、説明の便宜上、研削する必要のある前記歯２００の部分は研削部分Ｇ１に定義される。
【００１６】
本実施形態において、前記研削ガイドプレート１及び前記人工歯２は、三次元計測モジュール（例えば、口腔内スキャナー）によって取得した前記口腔内のデータによって得られる。詳細には、前記三次元計測モジュールは、前記口腔の基礎データを取得し、それによって、前記口腔内の目前の状態（例えば、前記歯が磨耗する程度及びその形状などの内容）を有し、次いで、前記基礎データを利用して理想的な歯の人工歯データ（即ち、前記歯２００が過度な歯ぎしりをする前の形状）を模擬する。一般的には、前記基礎データは、デジタルスマイルカーブ（Ｄｉｇｉｔａｌ  Ｓｍｉｌｅ  Ｄｅｓｉｇｎ）を利用して前記人工歯データを模擬するが、本考案はこれに制限されるものではない。また、前記基礎データ及び前記人工歯データを取得すると、前記基礎データにおけるパラメータ（例えば、前記歯が過度に磨耗した深さ及び面積）及び前記人工歯データによって、研削データを算出することができる。研削データには、前記歯２００における研削の必要がある部分のパラメータが含まれる。次いで、後での歯２００の矯正に提供するために前記研削データ及び前記人工歯データによって、前記人工歯２及び前記研削ガイドプレート１を成形する。
【００１７】
実務上、前記研削ガイドプレート１は、上顎及び下顎の二種類の態様に区分され、前記研削ガイドプレート１は、本実施形態において、下顎の態様を用いて説明するが、本考案はこれに制限されるものではない。前記研削ガイドプレート１は、シェル状構造であると共に、第１の位置決定部１１、及び前記第１の位置決定部１１に接続された第１の遮蔽部１２を含む。なかでも、前記第１の位置決定部１１は、その外観が、本実施形態において、歯茎及び歯と実質的に同様であると共に、前記歯２００及び前記歯茎３００を収容するための第１の収容空間ＳＰ１を有し、前記第１の位置決定部１１は、（前記歯２００の高さ方向Ｄ１に沿って）互いに相反する下開口及び上開口を有し、かつ、前記下開口及び前記上開口は、前記第１の収容空間ＳＰ１に連通する。前記第１の位置決定部１１は、前記下開口によって、前記下顎における前記歯２００及び前記歯茎３００を前記第１の収容空間ＳＰ１に位置させると同時に、前記歯２００の咬合面２１０を前記上開口によって露出させることができる。即ち、前記研削ガイドプレート１は、前記第１の位置決定部１１における前記第１の収容空間ＳＰ１の内縁が前記歯茎３００及び前記歯２００の表面に押し当てられることによって、前記研削ガイドプレート１を前記下顎に固定するが、本考案はこれに制限されるものではない。
【００１８】
例えば、前記第１の位置決定部１１の外観は、前記下顎における前記歯２００を造形して得られるのみであっても構わず、即ち、前記第１の位置決定部１１における前記第１の収容空間ＳＰ１は、前記歯２００を収容するためのみに用いられ、言い換えれば、前記第１の収容空間ＳＰ１は、少なくとも前記歯２００を収容するために用いられれば良い。
【００１９】
前記第１の遮蔽部１２は、前記上開口の位置に位置すると共に、前記第１の位置決定部１１に接続され、かつ、前記第１の遮蔽部１２及び複数の前記第１の位置決定部１１は、共同で複数の第１の作業孔Ｈ１を形成する。なかでも、図２に示すように、前記第１の位置決定部１１における前記第１の収容空間ＳＰ１が前記歯２００及び前記歯茎３００を収容した際、前記歯の一部２００の前記咬合面２１０は、複数の前記第１の作業孔Ｈ１によって前記研削ガイドプレート１外に露出することによって、歯研削装置４００が研削するのに供され（図２及び図３に示した通り）、即ち、前記歯２００が露出した部分は、前記研削部分Ｇ１である。即ち、前記第１の遮蔽部１２は、研削する必要のない前記歯２００を遮蔽するために用いられ、前記上開口に位置しながら、前記第１の遮蔽部１２に遮蔽されない前記歯の一部２００は、前記研削部分Ｇ１である。
【００２０】
一般的には、前記第１の遮蔽部１２の面積は、複数の前記第１の作業孔Ｈ１の総面積よりも小さく、即ち、前記研削部分Ｇ１が、前記歯２００の前記咬合面２１０において、より多い面積を有することによって、前記人工歯２は、前記歯２００において、より多い配置（又は接着）するための表面を有し、前記研削部分Ｇ１の体積は、装着される前記人工歯２の体積よりも大きいと理解しても構わないが、本考案はこれに制限されるものではない。
【００２１】
注意すべきなのは、本考案の複数の前記第１の作業孔Ｈ１の位置は、本実施形態において、前記歯２００の咬合面２１０のみに対応するが、本考案はこれに制限されるものではない。例えば、本考案は、他の図示されていない実施形態において、複数の前記第１の作業孔Ｈ１は、前記歯２００の咬合面２１０、及び頬側面（即ち、前記歯２００における舌から離れた側の面）に同時に位置しても構わず、それによって、前記歯２００における互いに異なる部位を研削するようにガイドすることができる。
【００２２】
また、本実施形態に係る前記研削ガイドプレート１’は、図５に示す別の態様であることができる。詳細には、前記第１の遮蔽部１２は、複数の單辺接続ブロック１２１、及び複数の多辺接続ブロック１２２をさらに含む。なかでも、それぞれの前記單辺接続ブロック１２１は、接続セグメント１２１１を有し、前記單辺接続ブロック１２１における前記接続セグメント１２１１は、別の前記單辺接続ブロック１２１、任意一つの前記多辺接続ブロック１２２、又は前記第１の位置決定部１１に接続することができる。それぞれの前記多辺接続ブロック１２２は、少なくとも二つの接続セグメント１２２１を有し、前記多辺接続ブロック１２２における少なくとも二つの前記接続セグメント１２２１は、別の前記多辺接続ブロック１２２、任意一つの前記單辺接続ブロック１２１、又は前記第１の位置決定部１１にそれぞれ接続することができる。言い換えれば、任意一つの前記單辺接続ブロック１２１及び任意一つの前記多辺接続ブロック１２２の間の差異は、有する接続セグメントの数量にある。
【００２３】
注意すべきなのは、前記第１の遮蔽部１２は、本実施形態において、複数の前記單辺接続ブロック１２１、及び複数の前記多辺接続ブロック１２２を含むが、本考案はこれに制限されるものではない。例えば、本考案は、他の図示されていない実施形態において、前記第１の遮蔽部１２は、複数の前記單辺接続ブロック１２１のみを有し、又は複数の前記多辺接続ブロック１２２のみを有しても構わない。
【００２４】
図３及び図４に示すように、前記人工歯２は、本実施形態において、研削済の前記咬合面２１０’に対応したつけ歯構造であると共に、前記研削部分Ｇ１（又は前記咬合面２１０’）が研削済の前記歯２００に設置するために用いられるが、本考案はこれに制限されるものではない。一般的には、前記人工歯２は、前記研削ガイドプレート１に合わせた上で、その構造又は態様は矯正の状況によって設計されるため、前記人工歯２の態様は、前記歯２００の局部に対応する局部被覆構造、又は前記歯２００を覆い被せる全部被覆構造であることができる。
［第２の実施形態］
【００２５】
図６〜図９は、本考案の第２の実施形態を示し、図面に示すように、本実施形態は、前記歯科矯正用器具が、前記歯２００における頬側（舌から離れた側）の研削をガイドする補助研削ガイドプレート３をさらに含む以外、第１の実施形態と実質的に同様であり、即ち、前記補助研削ガイドプレート３及び前記第１の実施形態に係る前記研削ガイドプレート１の差異は、研削をガイドする位置が互いに異なることにある。説明すべきなのは、図６〜図９に示す歯２００は、前記研削ガイドプレート１のガイドによって研削済の後の状態で説明するが、本考案はこれに制限されるものではない。
【００２６】
具体的には、前記補助研削ガイドプレート３は、第２の位置決定部３１、及び前記第２の位置決定部３１に接続された第２の遮蔽部３２を含む。なかでも、前記第２の位置決定部３１はシェル状構造であると共に、前記歯２００及び前記歯茎３００を収容するための第２の収容空間ＳＰ２、前記第２の位置決定部３１における前記歯茎３００に面した側に位置する補助下開口、及び前記第２の位置決定部３１における前記頬側に面した側に位置する補助側開口を有し、かつ、前記補助下開口及び前記補助側開口は、前記第２の収容空間ＳＰ２に連通する。
【００２７】
前記第２の位置決定部３１は、前記補助下開口によって、前記下顎における前記歯２００及び前記歯茎３００を前記第２の収容空間ＳＰ２内に位置させると同時に、前記歯２００の頬側面２２０を前記補助側開口によって露出させることができる（図７に示した通り）。即ち、前記補助研削ガイドプレート３も、前記第２の位置決定部３１の、前記第２の収容空間ＳＰ２における内縁を前記歯茎３００及び前記歯２００の表面に押し当てることによって、前記補助研削ガイドプレート３を前記下顎に固定する。勿論、前記第２の位置決定部３１の外観は、前記下顎の前記歯２００を造形して得られるのみであっても構わず、即ち、前記第２の収容空間ＳＰ２は、少なくとも前記歯２００を収容するために用いられれば良い。
【００２８】
前記第２の遮蔽部３２は、前記補助側開口の位置に位置すると共に、前記第２の位置決定部３１に接続され、かつ、前記第２の遮蔽部３２及び複数の前記第２の位置決定部３１は、共同で複数の第２の作業孔Ｈ２を形成する。なかでも、前記第２の位置決定部３１における前記第２の収容空間ＳＰ２が前記歯２００及び前記歯茎３００を収容した際、前記歯の一部２００の前記頬側面２２０は、複数の前記第２の作業孔Ｈ２によって、前記補助研削ガイドプレート３外に露出することで、前記歯研削装置４００が研削するのに供され、即ち、露出した前記歯２００は、別の研削部分Ｇ２であり、前記別の研削部分Ｇ２が研削済の後、図８に示す前記頬側面２２０’になる。
【００２９】
一般的には、前記第２の遮蔽部３２の面積は、複数の前記第２の作業孔Ｈ２の総面積よりも小さく、即ち、前記別の研削部分Ｇ２は、前記歯２００の前記頬側面２２０において、より多い面積を有し、それによって、前記人工歯２’は、前記歯２００において、より多い設置（又は接着）するための表面を有するが、本考案はこれに制限されるものではない。
【００３０】
勿論、前記補助研削ガイドプレート３における前記第２の遮蔽部３２も、前記研削ガイドプレート１における前記第１の遮蔽部１２のように、複数の單辺接続ブロック及び／又は複数の多辺接続ブロックをさらに含むことができ、ここでは説明を省略する。
［第３の実施形態］
【００３１】
図１０及び図１１は、本考案の第３の実施形態を示し、図面に示すように、本実施形態は、第１の実施形態又は第２の実施形態の装着方法である。前記歯科矯正用器具の装着方法は、ステップＳ１１０〜Ｓ１７０を含み、同時に図１〜図９を合わせて参照されたい。勿論、上述した複数のステップにおける任意一つのステップは、設計者のニーズに応じて省略するか、又は合理的な変化方式に置換しても構わない。複数の前記ステップＳ１１０〜Ｓ１７０は以下に詳しく説明する：
【００３２】
準備ステップＳ１１０を実施する：第１の実施形態に係る研削ガイドプレート１及び人工歯２を提供する。なかでも、前記研削ガイドプレート１及び前記人工歯２は、三次元計測モジュールによって取得した口腔のデータによってそれぞれ成形される。
【００３３】
具体的には、前記準備ステップＳ１１０は、前記研削ガイドプレート１及び前記人工歯２の成形（又は作製）ステップであり、なかでも、前記準備ステップＳ１１０は、初歩サブステップＳ１１１、模擬サブステップＳ１１３、整合サブステップＳ１１５、及び成形サブステップＳ１１７を含む。以下、前記準備ステップＳ１１０における各サブステップを紹介する。
【００３４】
前記初歩サブステップＳ１１１を実施する：前記三次元計測モジュールによって前記口腔内の基礎データを取得する。前記基礎データは、目前の前記口腔内の状況であり、即ち、前記基礎データは、前記口腔内の各歯の磨耗状況、上顎及び下顎の骨又は歯茎の形状などを含む。
【００３５】
前記模擬サブステップＳ１１３を実施する：前記基礎データを利用して理想的な歯の人工歯データを模擬する。一般的には、前記基礎データは、デジタルスマイルデザイン（Ｄｉｇｉｔａｌ  Ｓｍｉｌｅ  Ｄｅｓｉｇｎ）を採用して、模擬して得られた前記人工歯データであり、前記人工歯データは、前記口腔内の歯が過度に磨耗しないか、又は前記口腔内の歯が最も見た目の良い際の複数の模擬パラメータからなる。
【００３６】
前記整合サブステップＳ１１５を実施する：前記人工歯データ及び前記基礎データを利用して研削データを算出する。詳細には、前記人工歯データ及び前記基礎データを取得すると、設計者は、（まだ作製されていない）前記人工歯２が必要とする構造強度又は設置面積をアセスメントし、前記基礎データを利用して前記歯２００を研削する必要のある範囲、深さ、角度などのパラメータをさらに算出することによって、前記研削データを得ることができる。
【００３７】
前記成形サブステップＳ１１７を実施する：前記研削データ及び前記人工歯データを利用して、前記人工歯２及び前記研削ガイドプレート１を成形する。具体的には、前記研削ガイドプレート１は、前記歯の一部２００（即ち、前記研削部分Ｇ１）の研削をガイドするために用いられるため、前記歯２００の片面に設置される前記人工歯２は、前記研削部分Ｇ１に合わせることによって、前記人工歯２を安定に前記歯２００に設置する必要がある。逆に言えば、前記人工歯２の構造強度、又は形状などを考慮するために、前記研削ガイドプレート１のガイドによって研削済の前記研削部分Ｇ１は、前記人工歯２の形状に合わせる必要がある。言い換えれば、前記研削ガイドプレート１及び前記人工歯２の作製は、前記研削データ及び前記人工歯データを利用する必要がある。
【００３８】
注意すべきなのは、本実施形態に係る前記人工歯は、図３及び図８に示すように、つけ歯形式で実現されるが、本考案はこれに制限されるものではない。例えば、前記人工歯２は、覆い被せる（又はソケットと称される）形式又は他の実施可能な形式であっても構わない。
【００３９】
また、研削位置をガイドする前記補助研削ガイドプレート３は、前記研削ガイドプレート１の成形方式に類似するが、しかし、前記人工歯２は、前記補助研削ガイドプレート３及び前記研削ガイドプレート１によってそれぞれ研削した後の形状又は面積などの要素をさらに同時に考慮する必要がある。
【００４０】
以上説明したステップは、前記準備ステップＳ１１０における各サブステップであり、次いで、前記歯科矯正用器具の装着方法における他のステップを紹介する。
【００４１】
装着ステップＳ１３０を実施する：前記研削ガイドプレート１を前記口腔内の歯に設置する。具体的には、図１及び図２に示すように、前記歯の一部２００は、前記研削ガイドプレート１における複数の前記第１の作業孔Ｈ１によって外部に露出し、即ち、前記研削部分Ｇ１は、前記研削ガイドプレート１外に露出する。
【００４２】
歯研削ステップＳ１５０を実施する：歯研削装置４００を利用して、前記研削ガイドプレート１外部に露出した前記歯２００を研削する（図２及び図３に示した通り）。勿論、歯科医師は、前記補助研削ガイドプレート３に合わせて前記歯２００の頬側面を研削することができ、即ち、前記装着ステップＳ１３０及び前記歯研削ステップＳ１５０を完成した際、前記装着ステップＳ１３０及び前記歯研削ステップＳ１５０における前記研削ガイドプレート１を前記補助研削ガイドプレート３に置換して再度実施する、即ち、図６〜図９に示した通りである。
【００４３】
人工歯装着ステップＳ１７０を実施する：固定用粘着剤（未図示）を利用して、前記人工歯２を前記歯２００に固定する（図４又は図９に示した通り）。
［実施形態による有利な効果］
【００４４】
以上をまとめて、本考案が提供する歯科矯正用器具、及び研削ガイドプレートによれば、「前記第１の位置決定部及び前記第１の遮蔽部が共同で形成した複数の前記第１の作業孔」及び「前記人工歯は、前記研削部分が研削済の前記歯に設置される」といった技術的手段によって、歯科医師は、前記歯における調整する必要のある部位を研削した後、模擬計算して得られた前記人工歯を前記歯に直接設置することによって、治療を一回で完成し、前記歯を矯正する効果を素早く達成することができる。
【００４５】
以上に開示される内容は、好ましい本考案の実施形態に過ぎず、考案の範囲を限定することを意図していない。そのため、本考案の明細書及び図面でなされた均等の技術の変形は、全て本考案の請求の範囲に含まれるものである。
【符号の説明】
【００４６】
１、１’…研削ガイドプレート
１１…第１の位置決定部
ＳＰ１…第１の収容空間
１２…第１の遮蔽部
１２１…單辺接続ブロック
１２１１…接続セグメント
１２２…多辺接続ブロック
１２２１…接続セグメント
２、２’…人工歯
３…補助研削ガイドプレート
３１…第２の位置決定部
ＳＰ２…第２の収容空間
３２…第２の遮蔽部
Ｈ１…第１の作業孔
Ｈ２…第２の作業孔
２００…歯
２１０、２１０’…咬合面
２２０、２２０’…頬側面
Ｇ１…研削部分
Ｇ２…別の研削部分
３００…歯茎
４００…歯研削装置
Ｓ１１０〜Ｓ１７０…ステップ
Ｓ１１１〜Ｓ１１７…サブステップ
Ｄ１…高さ方向
【図１】
0003233677.tif 000003
【図２】
0003233677.tif 000004
【図３】
0003233677.tif 000005
【図４】
0003233677.tif 000006
【図５】
0003233677.tif 000007
【図６】
0003233677.tif 000008
【図７】
0003233677.tif 000009
【図８】
0003233677.tif 000010
【図９】
0003233677.tif 000011
【図１０】
0003233677.tif 000012
【図１１】
0003233677.tif 000013